(57)【要約】【課題】背景パターンが変化しても情報パターンの視認性を確保することのできる表示機器を提供する。【解決手段】本発明の表示機器は、時間経過に従って変化する背景パターンを表示する背景表示範囲１４Ｐと、所定の情報パターンを表示する情報表示範囲１４Ｓとを一体に備えた表示領域１４ｘを有するパターン表示手段を具備し、前記情報パターンの表示態様は、前記背景表示範囲の背景パターンの変化に対応して、前記表示領域内において前記情報パターンが判別可能となるように変化することを特徴とする。【選択図】図９
2007206474.tif 000002
【特許請求の範囲】
【請求項１】
時間経過に従って変化する背景パターンを表示する背景表示範囲と、所定の情報パター
ンを表示する情報表示範囲とを一体に備えた表示領域を有するパターン表示手段を具備し
、
前記情報パターンの表示態様は、前記背景パターンの変化に対応して、前記表示領域内
において前記情報パターンが判別可能となるように変化することを特徴とする表示機器。
【請求項２】
前記情報パターンの表示態様は、前記背景パターンにおける前記情報パターンに隣接す
る部分との間の色相と明度の少なくとも一方が異なるように変化することを特徴とする請
求項１に記載の表示機器。
【請求項３】
前記背景表示範囲には複数の画素が縦横に配列され、前記情報表示範囲は前記複数の画
素のうちの少なくとも一つの前記画素の内側に配置された一又は複数のセグメント領域で
構成されることを特徴とする請求項１に記載の表示機器。
【請求項４】
前記情報パターンを構成する前記１又は複数のセグメント領域は、前記少なくとも一つ
の画素に対して色相と明度の少なくとも一方が異なるように変化することを特徴とする請
求項３に記載の表示機器。
【請求項５】
前記パターン表示手段は、前記背景パターンに対応した前記情報パターンの表示態様に
関するデータ成分を予め加味した表示データに基づいて前記表示領域を制御することを特
徴とする請求項１乃至４のいずれか一項に記載の表示機器。
【請求項６】
前記パターン表示手段は、前記背景パターンの表示データ部分から前記情報パターンの
表示態様に関するデータ成分を算出し、該データ成分を加味した表示データに基づいて前
記表示領域を制御することを特徴とする請求項１乃至４のいずれか一項に記載の表示機器
。
【請求項７】
時間経過に従って変化する背景パターンを表示する背景表示範囲と、所定の情報パター
ンを表示する情報表示範囲とを一体に備えた表示領域を有するパターン表示手段を具備し
、
前記情報パターンは、複数の異なる表示態様間で繰り返し変化することを特徴とする表
示機器。
【請求項８】
前記情報パターンが時間情報を示すパターンであることを特徴とする請求項１乃至７の
いずれか一項に記載の表示機器。
【発明の詳細な説明】
【技術分野】
【０００１】
本発明は表示機器に係り、特に、背景パターンと一体的に所定の情報パターンを表示す
るように構成された表示領域を備えた表示体の表示制御技術に関する。
【背景技術】
【０００２】
従来から各種の表示機器には液晶表示体等の各種の表示体が搭載され、この表示体の表
示領域に種々の内容が表示されるようになっている。一般的には、上記の表示領域に任意
の画像を表示できるように構成されるが、表示機器の中には、各種の画像等（背景パター
ン）とともに、文字、図形、記号等からなる所定の情報を示すための情報パターンが表示
されるように構成されたものが知られている（例えば、以下の特許公報１参照）。
【特許文献１】特開２００３−２０９８８９号公報（特に、図８及び図１１参照）
【発明の開示】
【発明が解決しようとする課題】
【０００３】
しかしながら、前述のように背景パターン中に情報パターンを表示する場合には、情報
パターンの表示態様、例えば、明度、色相、形、大きさ等は通常一定であり、背景パター
ンが変化した場合、情報パターンが背景パターン中に紛れて視認しにくくなる場合があっ
た。
【０００４】
また、情報パターンに縁を形成したり影をつけたりすることによって視認性を高めるこ
とも考えられるが、このような縁や影を付けた情報パターンは背景パターンの態様によっ
ては却って判別しにくくなる場合もあり、また、このことによって表示デザインの自由度
が低下したり、表示機器のデザイン性を損なったりする虞があるという問題点もある。
【０００５】
そこで、本発明は上記問題点を解決するものであり、その課題は、背景パターンが変化
しても情報パターンの視認性を確保することができる表示機器を提供することにある。
【課題を解決するための手段】
【０００６】
斯かる実情に鑑み、本発明の表示機器は、時間経過に従って変化する背景パターンを表
示する背景表示範囲と、所定の情報パターンを表示する情報表示範囲とを一体に備えた表
示領域を有するパターン表示手段を具備し、前記情報パターンの表示態様は、前記背景パ
ターンの変化に対応して、前記表示領域内において前記情報パターンが判別可能となるよ
うに変化することを特徴とする。
【０００７】
この発明によれば、背景表示範囲に形成される背景パターンが時間経過に応じて変化し
ても、これに対応して情報パターンの表示態様が変化し、表示領域内において情報パター
ンが判別可能となるように構成されるため、背景パターンの態様がどのように変化しても
、最終的に情報パターンの視認性は確保される。
【０００８】
ここで、情報パターンの表示態様の変化としては、表示位置の変化、パターン形状の変
化（縁付形状、影付形状を含む。）、パターン寸法の変化、色相の変化、明度の変化、常
時表示状態と点滅表示状態との間の変化、パターン形状やパターン寸法の固定状態と変化
状態との間の変化などが挙げられる。
【０００９】
本発明において、前記情報パターンの表示態様は、前記背景パターンにおける前記情報
パターンに隣接する部分との間の色相と明度の少なくとも一方が異なるように変化するこ
とが好ましい。これによれば、情報パターンの表示態様は、これに隣接する部分との間の
色相と明度の少なくとも一方が異なるように変化することにより、情報パターンの位置、
パターン形状、パターン寸法などを変化させる必要がなくなるため、表示デザインの変化
を最小限に抑制しつつ、確実に情報パターンを視認できるようにすることができるととも
に、制御態様が色相調整や階調調整等で足りるので、表示制御を容易に行うことが可能に
なる。
【００１０】
本発明において、前記背景表示範囲には複数の画素が縦横に配列され、前記情報表示範
囲は前記複数の画素のうちの少なくとも一つの前記画素の内側に配置された一又は複数の
セグメント領域で構成されることが好ましい。背景表示範囲に配列された複数の画素のう
ちの少なくとも一つの画素の内側に一又は複数のセグメント領域が配置され、これによっ
て情報表示範囲が構成されることにより、情報表示範囲を背景表示範囲中に一体的に組み
込むことができるため、デザイン性を高めることができるとともに、上記少なくとも一つ
の画素の表示態様とセグメント領域の表示態様との関係のみで情報パターンの視認性をあ
る程度確保することができるので、表示制御を容易に行うことができる。
【００１１】
本発明において、前記情報パターンを構成する前記１又は複数のセグメント領域は、前
記少なくとも一つの画素に対して色相と明度の少なくとも一方が異なるように変化するこ
とが好ましい。これによれば、情報パターンの位置、パターン形状、パターン寸法などを
変化させる必要がなくなるため、表示デザインの変化を最小限に抑制しつつ、確実に情報
パターンを視認できるようにすることができるとともに、制御態様が色相調整や階調調整
等で足りるので、情報パターンの表示制御を容易に行うことができる。
【００１２】
本発明において、前記パターン表示手段は、前記背景パターンに対応した前記情報パタ
ーンの表示態様に関するデータ成分を予め加味した表示データに基づいて前記表示領域を
制御する場合がある。この場合には、予め情報パターンの表示態様に関するデータ成分が
背景パターンに対応して加味されているので、特別の演算処理を実行しなくても迅速かつ
簡易に表示制御を行うことができる。
【００１３】
また、前記背景パターンの表示データ部分から前記情報パターンの表示態様に関するデ
ータ成分を算出し、該データ成分を加味した表示データに基づいて前記表示領域を制御す
る場合もある。この場合には、背景パターンから情報パターンの表示態様に関するデータ
成分を算出するようにしているので、任意の背景パターン、例えば、外部から入力した画
像データなどを用いることも可能になる。
【００１４】
また、本発明の別の表示機器は、時間経過に従って変化する背景パターンを表示する背
景表示範囲と、所定の情報パターンを表示する情報表示範囲とを一体に備えた表示領域を
有するパターン表示手段を具備し、前記情報パターンは、複数の異なる表示態様間で繰り
返し変化することを特徴とする。
【００１５】
この発明によれば、情報パターンが複数の異なる表示態様間で繰り返し変化することに
より、情報パターンの一つの表示態様が背景パターンに対して判別しにくいものである場
合でも、情報パターンの他の表示態様や表示態様の変化そのものによって判別性を得るこ
とができるため、背景パターンが変化しても情報パターンを判別可能な状態に維持できる
。ここで、情報パターンの繰り返し変化の時間間隔は一定であることが好ましく、また、
この時間間隔は背景パターンの変化の時間間隔と異なることが好ましい。特に、上記繰り
返し変化の周期が情報パターンの点滅動作を感取できる程度、例えば、０．１〜３．０秒
程度、に設定されていることが望ましい。
【００１６】
本発明において、前記情報パターンが時間情報を示すパターンであることが好ましい。
このようにすれば、時間情報（年、季節、月、週、日、午前、午後、時刻、時間等）を確
実に視認することができるとともに、背景パターンを任意に設定し、かつ、任意に変化さ
せることによって、表示機器の質感向上、デザインバリエーションの増大、ファッション
性の獲得等が可能になる。
【００１７】
本発明の表示機器としては、時計、コンピュータ、携帯電話、ゲーム機、テレビ、オー
ディオ製品、カーナビゲーション装置、リモートコントローラ、プリンタなどが挙げられ
る。
【発明を実施するための最良の形態】
【００１８】
次に、添付図面を参照して本発明の実施形態について詳細に説明する。図１は本発明に
係る表示機器の実施形態の構造を示す概略斜視図、図２は同表示機器の湾曲方向に沿った
断面を示す縦断面図、図３は図２に示す部分Ｓａ〜Ｓｅの各断面構造を示す断面図（ａ）
〜（ｅ）である。
【００１９】
本実施形態の表示機器１０は、人体に装着して用いる装着型機器であり、携帯機器でも
あり、また、内部に電子回路を内蔵した電子機器でもあり、時間情報を提示可能な時計で
もある。より具体的には、腕に装着して用いる腕装着型電子機器である。この腕装着型電
子機器としては、例えば、腕時計、ダイバーズコンピュータ、ストップウォッチ、血圧計
その他の人体センシング機器などが挙げられるが、それらの具体的な機能に関する記述は
省略する。
【００２０】
この表示機器１０は、湾曲した帯状のベース部材１１と、このベース部材１１の表面側
に装着された二つのカバー部材１２，１３とを備えている。また、ベース部材１１とカバ
ー部材１２，１３によって形成されるケース構造の内部には、内部モジュール１４が収容
されている。
【００２１】
ベース部材１１はステンレス鋼などの金属、合成樹脂等によって構成され、自立的に（
すなわち、標準的な重力以外の応力を受けていない状態で）湾曲形状を保持可能な剛性を
備えている。ベース部材１１は略Ｃ字状に湾曲した形状を備え、具体的には、腕（特に手
首部）の外周にほぼ沿った湾曲形状、或いは、楕円にほぼ沿った湾曲形状を有している。
【００２２】
ベース部材１１は、上述のように自立的に形状を保持できる剛性を有するが、或る程度
の弾性をも有し、着脱時等において人手により多少変形できるものとすることが好ましい
。また、ベース部材１１はプレス加工や鍛造加工等で製造できるが、その湾曲形状の精度
を高めるためには、金属等の素材のブロック体（或いは板状体）から放電加工等によって
上述の湾曲形状に切り出して製造することが望ましい。
【００２３】
図４はベース部材１１の一部を示す平面図である。ベース部材１１の湾曲方向（すなわ
ち長手方向）の一部には、ベース部材１１の湾曲方向（長手方向）と交差する（図示例で
は直交する）姿勢で橋梁部１１ｔが設けられている。この橋梁部１１ｔは、図３（ｂ）に
も示すように、その裏側に湾曲方向に貫通する貫通部１１ｓを伴っている。この橋梁部１
１ｔは、上記の湾曲形状の中途領域に形成されている。橋梁部１１ｔはベース部材１１の
幅方向に伸び、その両端がベース部材１１の外縁部１１ｘに接続されている。
【００２４】
橋梁部１１ｔの表面はベース部材１１の外縁部１１ｘに対して連続する表面形状を有し
ている。図示例の場合、橋梁部１１ｔの表面は幅方向（図４の上下方向）には平坦で、湾
曲方向（図４の左右方向）にはベース部材１１全体の湾曲形状にほぼ沿って湾曲している
。ただし、橋梁部１１ｔとこれが接続するベース部材１１の外縁部１１ｘとが連続的な表
面形状を有していればよく、例えば、橋梁部１１ｔの表面が平坦面であってもよい。ここ
で、表面形状が連続するとは、一般的なパッキンによって密閉できる範囲未満の曲率半径
を有する曲折部を有しないことを言う。
【００２５】
カバー部材１２は、ベース部材１１に対応した湾曲形状を有し、ベース部材１１の表面
上に装着される。カバー部材１２は、ステンレス鋼などの金属や合成樹脂等で構成された
枠体１２ａと、この枠体１２ａの内側に構成された表示窓１２ｂとを有する。表示窓１２
ｂは枠体１２ａに嵌合固定された透明素材（ガラスや透明樹脂）で構成されている。ただ
し、表示窓１２ｂは素材の存在しない開口で構成されていてもよく、また、カバー部材１
２全体が透明素材で構成されていても構わない。そして、図３（ａ）に示すように、表示
窓１２ｂを通して後述する内部モジュール１４の表示体１４Ａ（の表示領域１４ｘ）を視
認できるように構成されている。
【００２６】
カバー部材１２の裏面の外縁部にはパッキンボックスが構成され、このパッキンボック
スに閉曲線状（矩形枠状）のパッキン１５が収容され、このパッキン１５を介してベース
部材１１とカバー部材１２が密接している。ただし、パッキン１５はベース部材１１に設
けられたパッキンボックスに収容されていてもよいなど、何らかの態様でベース部材１１
とカバー部材１２がパッキン１５を介して密接していればよい。そして、ベース部材１１
とカバー部材１２は止めねじ１７で固定されている。
【００２７】
また、カバー部材１３の裏面の外縁部にも上記と同様のパッキンボックスが構成され、
このパッキンボックスに閉曲線状（矩形枠状）のパッキン１６が収容され、このパッキン
１６を介してベース部材１１とカバー部材１３が密接している。ただし、パッキン１６は
ベース部材１１に設けられたパッキンボックスに収容されていてもよいなど、何らかの態
様でベース部材１１とカバー部材１３がパッキン１６を介して密接していればよい。そし
て、ベース部材１１とカバー部材１２は止めねじ１７で固定されている。
【００２８】
図５は内部モジュール１４の平面図である。内部モジュール１４は、表示体１４Ａと、
配線基板１４ｂとが導電接続された帯状に構成され、全体が少なくとも上記ベース部材１
１の湾曲方向に可撓性を有している。
【００２９】
表示体１４Ａは、上記ベース部材１１の湾曲方向に伸びた帯状の表示領域１４ｘを備え
ている。したがって、本実施形態では、上記のように湾曲したケース形状の湾曲方向に沿
って延長された表示画面が構成される。この表示画面は表示機器１０の表面積に対して高
い面積割合（４０％以上、好ましくは５０％以上）を有しているので、当該表示画面にお
ける後述する表示パターンの態様が表示機器１０のデザイン性をほぼ決定する構成となっ
ている。
【００３０】
配線基板１４ｂはポリイミド樹脂等からなるフレキシブル基板であり、基板上若しくは
基板内に配線が形成されている。配線基板１４ｂの端部には表示体１４Ａの端子が導電接
続された端子部１４ｃが設けられている。また、配線基板１４ｂの表面上にはＩＣチップ
その他の電子部品１４ｙが実装されている。さらに、配線基板１４ｂの表面上にはスイッ
チ接続用の電極（パッド）１４ｚ、１４ｖが設けられ、また、電池接続用の電極（パッド
）１４ｗ、１４ｕも形成されている。なお、配線基板１４ｂには、後述するように、上記
表示体１４Ａの制御駆動系が構成されている。
【００３１】
内部モジュール１４は、表示体１４Ａがカバー部材１２の内部に配置され、配線基板１
４ｂがカバー部材１３の内部に配置されるように、ベース部材１１とカバー部材１２，１
３の間に収容される。ここで、内部モジュール１４は、図３（ｂ）に示すように、ベース
部材１１の橋梁部１１ｔの裏側に形成された貫通部１１ｓを通過して、この橋梁部１１ｔ
の湾曲方向両側に延在するように配置される。ここで、貫通部１１ｓには、内部モジュー
ル１４の配線基板１４ｂのうち、上記表示体１４Ａに導電接続される端子部１４ｃが設け
られる領域が挿通されるように構成することが好ましい。これによって、表示体１４Ａの
一部が橋梁部１１ｔによって覆われることがなくなるとともに、配線基板１４ｂにおける
電子部品１４ｙの実装領域、スイッチ接続用の電極１４ｚ、１４ｖの形成領域などを回避
することができるので、貫通部１１ｓの厚みを小さくすることができるため、橋梁部１１
ｔが設けられた部分、すなわち、橋梁部１１ｔと貫通部１１ｓが厚み方向に併設された領
域の厚みを低減することができる。
【００３２】
なお、図示例では、加工を容易にするために、また、内部モジュール１４の挿通作業を
容易にするために、貫通部１１ｓに臨む内底面を平坦に形成しているが、この内底面をベ
ース部材１１の湾曲形状に対応した湾曲面としてもよい。
【００３３】
この橋梁部１１ｔの表面は、上記カバー部材１２，１３の端部とパッキン１５，１６を
介して密接している。橋梁部１１ｔの表面は上述のようにベース部材１１の外縁部と連続
した表面を構成しているので、パッキン１５，１６と橋梁部１１ｔ及びベース部材１１の
外縁部との間にすき間が生じにくくなるため、ベース部材１１とカバー部材１２によって
構成されるケース構造の内部空間、並びに、ベース部材１１とカバー部材１３によって構
成されるケース構造の内部空間がそれぞれパッキン１５，１６によって確実に密閉される
。
【００３４】
カバー部材１３には開口部１３ａが設けられ、この開口部１３ａ内に、配線基板１４ｂ
上に形成された電極１４ｚ、１４ｖに導電接続されたスイッチ端子１８Ａと、このスイッ
チ端子１８Ａとカバー部材１３との間に枠状に介在する合成樹脂等からなる絶縁枠１８Ｂ
とが取り付けられ（嵌合固定され）ている。スイッチ端子１８Ａは、コイルばね１８Ｃを
介して上記の電極１４ｚ、１４ｖに導電接触している。コイルばね１８Ｃは、スイッチ端
子１８Ａの底部に開口する収容穴１８ｈの内部に収容された円筒状の部分１８ｅと、この
部分１８ｅの下部に接続され、下方に向けて縮径する円錐台状の部分１８ｆとを有し、円
錐台状の部分１８ｆが収容穴１８ｈの開口縁で脱出しないように保持されている。
【００３５】
コイルばね１８Ｃは、螺旋状のコイル構造が円筒状の部分１８ｅでは導電接触圧を確保
するための弾性力を発揮するように圧縮状態で収容穴１８ｈ内に収容され、円錐台状の部
分１８ｆは常時密に巻回された状態となるように構成されて、その先端が電極１４ｚ、１
４ｖに当接している。この円錐台状の部分１８ｆは、常時密に巻回された状態とすること
により形状変化しないように構成され、これにより電極１４ｚ，１４ｖとの間の導電接触
の安定性が確保されている。
【００３６】
装着者がスイッチ端子１８Ａ及びその周囲のカバー部材１３に指等で触れると、スイッ
チ端子１８Ａに導電接続された電極１４ｚ、１４ｖの電位が変化してスイッチ操作が検出
され、これによって配線基板１４ｂ上に構成された所定の回路によって所定の動作、例え
ば、表示体の表示内容の切替、設定操作などが実行される。
【００３７】
図６は、カバー部材１３を除去したときの露出部位を示す概略斜視図である。配線基板
１４ｂ上には電池保持枠１９Ａ及び電極端子１９Ｂが固定され、図１及び図３（ｅ）に示
す電池１９Ｃを電池保持枠１９Ａ内に収容すると、電池１９Ｃの底面に設けられた電極が
配線基板１４ｂ上に設けられた上記電極１４ｗに導電接触し、また、電池１９Ｃの側面に
設けられた電極が電極端子１９Ｂを介して配線基板１４ｂ上の上記電極１４ｕに導電接触
するようになっている。
【００３８】
なお、カバー部材１３は、配線基板１４ｂの厚みに合わせた凹凸状の内面形状を有し、
これによってベース部材１１とカバー部材１３によって画成される内部空間の厚みが場所
によって異なることとなるように構成されている。例えば、図３（ｃ）に示すように、配
線基板１４ｂ上に電子部品１４ｙが実装されている部分では内部空間の厚みが大きく確保
されているが、図３（ｄ）に示すように、電子部品１４ｙが実装されていない部分では内
部空間の厚みは配線基板１４ｂの厚さよりやや大きい程度とされる。
【００３９】
以上説明した実施形態においては、略Ｃ字状に湾曲した表示機器１０の湾曲形状の開口
部分を通して腕（特に手首部）に装着することができる。従来の腕時計やダイバーズコン
ピュータ等の腕装着型携帯機器とは異なり、装着部（腕）に沿って帯状（ブレスレット状
）に構成された極めて斬新なデザインを実現できる。そして、装着部に沿った湾曲方向に
長い表示領域を確保しつつ、小型化・薄型化を図ることができる。さらに、内部モジュー
ル１４は一体に構成されているので、部品点数が少なく、組み立て作業も容易である。内
部モジュール１４は全体的に湾曲方向に可撓性を有する（すなわち、表示体１４Ａと配線
基板１４ｂの双方が湾曲方向の可撓性を有する）ので、ケース構造に適合した状態で内部
に収容することができる。
【００４０】
特に、本実施形態では、表示体１４Ａの表示領域１４ｘによって構成される表示画面が
表示機器１０の表面積の多くの割合を占めているので、以下に説明する表示パターンが表
示機器１０自体のデザイン性に決定的かつ重要な影響を与える。
【００４１】
図７は表示体１４Ａの制御駆動系の構成例を示す概略ブロック図である。表示機器１０
に搭載された表示体１４Ａは、図７に示す制御駆動系によって所定の表示内容を表示可能
に構成されている。表示制御部１４Ｇはマイクロプロセシングユニット（ＭＰＵ）等で構
成され、表示体１４Ａの表示領域１４ｘに表示されるべき表示内容に対応した表示データ
を生成する。表示制御部１４Ｇはメモリ１４Ｍに格納された表示パターンやパターン変化
等に対応する制御データを読み出し、この制御データに基づいて表示データに対応する制
御信号（例えば、ドライバ駆動用の所定ビット数のディジタル信号、図示例ではパラレル
信号であるがシリアル信号でもよい。）Ｓｃを出力する。
【００４２】
また、上記制御信号Ｓｃは表示ドライバ１４Ｄに入力され、表示ドライバ１４Ｄは上記
表示データに対応する駆動信号Ｄｓｅｇ１〜ＤｓｅｇＮ及び共通信号Ｄｃｏｍを表示体１
４Ａへ出力する。これらの駆動信号Ｄｓｅｇ１−ＤｓｅｇＮ（Ｎは任意の自然数、本実施
形態ではセグメント総数）及び共通信号Ｄｃｏｍは階調制御を行う場合にはアナログ信号
とされる。
【００４３】
図８には上記共通信号及び駆動信号の信号波形の例を示す。共通信号Ｄｃｏｍは、高電
位（例えば正電位）Ｈと低電位（例えば負電位）Ｌとを交互に繰り返すパルス信号であり
、１フレーム周期Ｆ内で高電位Ｈと低電位Ｌを複数回繰り返すようになっている。一方、
各セグメントへ供給される駆動信号Ｄｓｅｇ１〜ＤｓｅｇＮは、上記１フレーム周期Ｆ内
で高電位（例えば正電位）Ｈと低電位（例えば負電位）Ｌのいずれかをとる。したがって
、駆動信号が高電位Ｈをとるフレーム周期においては、駆動信号の供給先の電極には、共
通信号を基準として正の電圧がパルス状（断続的）に印加されることとなり、駆動信号が
低電位Ｌをとるフレーム周期においては、共通信号を基準として負の電圧がパルス状（断
続的）に印加されることとなる。
【００４４】
図９は、本実施形態の表示体１４Ａの表示領域１４ｘの構成を示す概略平面図（ａ）〜
（ｅ）である。この例では、表示領域１４ｘ内に多数の画素１４ｐ、１４ｐ′、１４ｐ１
、１４ｐ２、１４ｐ３、１４ｐ３が縦横（例えばマトリクス状）に配列されている。ここ
で、図示例の場合、表示領域１４ｘは略矩形（正方形若しくは長方形）に構成され、各画
素も略矩形に構成されている。本実施形態では、表示領域１４ｘ内には同形同大の複数の
画素１４ｐが存在するが、これらの画素１４ｐとは異なる形状若しくは大きさを有する画
素１４ｐ′、１４ｐ１〜１４ｐ４もまた設けられている。
【００４５】
また、上記画素１４ｐ１〜１４ｐ４の内側にはそれぞれセグメント集合体１４ｓ１〜１
４ｓ４が配置されている。これらのセグメント集合体１４ｓ１〜１４ｓ４のそれぞれは複
数のセグメント領域を含み、図示例の場合にはアラビア数字を表現可能な７セグメント構
造を有している。
【００４６】
本実施形態の場合、上記複数の画素１４ｐ、１４ｐ′１４ｐ１〜１４ｐ４が背景表示範
囲１４Ｐを構成し、上記セグメント集合体１４ｓ１〜１４ｓ４が情報表示範囲（時間情報
表示範囲）１４Ｓを構成している。そして、上記画素１４ｐ、１４ｐ′及び１４ｐ１〜１
４ｐ４、並びに、上記セグメント集合体１４ｓ１〜１４ｓ４内の複数のセグメント領域の
それぞれに、上記駆動信号Ｄｓｅｇ１−ＤｓｅｇＮが一つずつ供給される。そして、共通
信号Ｄｃｏｍと各駆動信号との電位差に応じてそれぞれの画素の表示態様が独立して制御
可能に構成されている。
【００４７】
図１１は、表示体１４Ａ内に多数配置されているマイクロカプセル１４１の概略断面図
である。マイクロカプセル１４１は直径１０μｍ程度の大きさの透明球体であり、その内
部に透明な液体１４１Ｌが充填されるとともに、この液体１４１Ｌ内にそれぞれ電荷が与
えられた多数の白色粒子１４１ｗ及び黒色粒子１４１ｂが浮遊した状態とされている。白
色粒子１４１ｗと黒色粒子１４１ｂには相互に逆極性の電荷が与えられており、本実施形
態の場合、白色粒子１４１ｗは正に帯電され、黒色粒子１４１ｂは負に帯電している。
【００４８】
図１２は、表示体１４Ａの内部構造を模式的に示す概略縦断面図である。表示体１４Ａ
は下基板１４２上に下電極１４３、上記のマイクロカプセル１４１、上電極１４４、上基
板１４５が順次に積層配置された構造を有する。上電極１４４はＩＴＯ等の透明導電体で
構成され、上基板１４５は透明プラスチック、透明ガラス等の透明素材で構成されている
。
【００４９】
図示例の場合、下電極１４３がセグメント電極、上電極１４４が共通電極である。そし
て、下電極１４３と上電極１４４の平面的に重なる部分が上記の画素１４ｐ、１４ｐ′、
１４ｐ１〜１４ｐ４、セグメント集合体１４ｓ１〜１４ｓ４の各セグメント領域となって
いる。ここで、下電極１４３には上記駆動信号が供給され、上電極１４４には上記共通信
号が供給される。そして、駆動信号を制御することにより、上電極１４４に対して下電極
１４３に正の電位を与えると、マイクロカプセル１４１内の負に帯電した黒色粒子１４１
ｂは下方に移動し、正に帯電した白色粒子１４１ｗは上方へ移動するので、マイクロカプ
セル１４１の内部は図１１に示す状態となり、上基板１４５側から見たときに当該マイク
ロカプセルを複数配列させてなる画素は白色に視認される。逆に、上電極１４４に対して
下電極１４３に負の電位を与えると、マイクロカプセル１４１内の負に帯電した黒色粒子
１４１ｂは上方へ移動し、正に帯電した白色粒子１４１ｗは下方へ移動するので、マイク
ロカプセル１４１内は図１１とは上下さかさまの状態となり、当該マイクロカプセルを複
数配列させてなる画素は黒色に視認される。
【００５０】
なお、本実施形態では、画素ごとに白黒のいずれかを表示可能なモノクロ表示を実現し
た例を示したが、本発明はこのような態様に限らず、カラーフィルタ等を利用するなどの
方法で、カラー表示可能に構成してもよい。また、上記の表示体１４Ａは荷電粒子を内蔵
したマイクロカプセルを用いたＥＰＤ（マイクロカプセル型電気泳動ディスプレイモジュ
ール；Electrophoretic Display）で構成されているが、本発明はこのような表示体に限
らず、例えば、他のタイプのＥＰＤ、或いは、ＬＣＤ（液晶表示体）、ＥＬＤ（エレクト
ロルミネッセンス表示体）などの各種の表示体（好ましくは電気光学表示体）を用いるこ
とも可能である。
【００５１】
本実施形態の表示領域１４ｘにおいては、図９（ａ）〜（ｅ）に示すように、時間の経
過に応じて、背景表示範囲１４Ｐに表示される背景パターンが変化するように構成されて
いる。すなわち、所定の時間間隔で図９（ａ）〜（ｅ）のパターンに順次に移行し、これ
が繰り返される。また、情報表示範囲１４Ｓにおいて表示される情報パターンは、背景パ
ターンの変化に応じて変化する。これらの背景パターン及び情報パターンの変化は、上記
表示制御部１４Ｇによって制御される。
【００５２】
本実施形態において、情報表示範囲１４Ｓの情報パターンは、本質的には背景パターン
自体とは無関係な情報（例えば時間情報、図示例では「０７０８」で７月８日或いは７時
８分を示す。）を表示するものであるので、情報パターンのパターン形状自体は独自に（
例えば時間情報に対応して）変化する。しかし、当該情報パターンの色相若しくは明度は
上記背景パターンに応じて表示領域１４ｘにおいて情報パターンの判別性（コントラスト
）が確保される態様とされる。図示例の場合、情報表示範囲１４Ｓを構成するセグメント
集合体１４ｓ１〜１４ｓ４を含む画素１４ｐ１〜１４ｐ４が黒色とされている場合には、
情報表示範囲１４Ｓ内の情報パターン（セグメント集合体１４ｓ１〜１４ｓ４内の複数の
セグメント領域のうちの点灯したセグメント領域）は白色で表示される。これとは逆に、
画素１４ｐ１〜１４ｐ４が白色とされている場合には、情報パターンは黒色で表示される
。
【００５３】
すなわち、本実施形態においては、背景パターンの変化に応じて、表示領域１４ｘ内に
おける情報パターンの表示態様（色相若しくは明度）が背景パターン中で判別可能となる
ように変化する。例えば、図９（ａ）に示す状態では情報パターン「０７」を示すセグメ
ント集合体１４ｓ１及び１４ｓ２の点灯セグメント領域が黒色で、これに隣接する画素１
４ｐ１及び１４ｐ２が白色であるが、この状態から図９（ｂ）に示す状態へと背景パター
ンが変化し、上記の画素１４ｐ１及び１４ｐ２が黒色に変化したときを考える。すると、
情報パターン「０７」が変化前のままの黒色であれば、当該情報パターンのコントラスト
はほぼ０となってしまうので情報パターンは判別不可能となる。本実施形態では、図９（
ｂ）に示すように、セグメント集合体１４ｓ１及び１４ｓ２の点灯セグメント領域の表示
態様を白色に変えることによって情報パターン「０７」の判別性（コントラスト）を確保
している。
【００５４】
また、上記とは逆に、図９（ｃ）に示すように、情報パターン「０７」が白色で表示さ
れ、その周囲の画素１４ｐ１及び１４ｐ２が黒色で表示されている場合には、背景パター
ンが変化して図９（ｄ）に示すように上記画素１４ｐ１及び１４ｐ２が白色に変化したと
き、情報パターン「０７」がそのままである場合には情報パターンが判別できないが、図
９（ｄ）に示すように本実施形態では情報パターン「０７」を黒色に変化させることによ
り、判別可能な状態とすることができる。
【００５５】
本実施形態では、上記のように情報パターン「０７」の視認性（判読性）を維持できる
が、この情報パターン「０７」と同様に、情報パターン「０８」（セグメント集合体１４
ｓ３及び１４ｓ４の点灯セグメント領域で構成される。）についても、画素１４ｐ３及び
１４ｐ４に対してコントラストを呈するように変化させることにより、常に情報パターン
「０８」の判別性を維持し、その視認性を得ることができる。
【００５６】
ただし、情報パターン「０７」において、図９（ｂ）から図９（ｃ）への移行時、図９
（ｄ）から図９（ｅ）への移行時、並びに、図９（ｅ）から図９（ａ）への移行時のそれ
ぞれにおいて、情報パターン「０７」を構成するセグメント集合体１４ｓ１及び１４ｓ２
に隣接する画素１４ｐ１及び１４ｐ２の色相若しくは明度は変化しないので、情報パター
ン「０７」を構成するセグメント集合体１４ｓ１及び１４ｓ２の色相若しくは明度は変化
せず、それでも情報パターンの判別性は確保される。同様に、情報パターン「０８」につ
いては、図９（ａ）から図９（ｂ）への移行時、図９（ｂ）から図９（ｃ）への移行時、
並びに、図９（ｄ）から図９（ｅ）への移行時のそれぞれにおいて、画素１４ｐ３及び１
４ｐ４の色相若しくは明度が変化しないので、セグメント集合体１４ｓ３及び１４ｓ４の
色相若しくは明度は変化せず、それでも情報パターンの判別性は確保される。
【００５７】
図９（ａ）〜（ｅ）に示す例では、背景表示範囲１４Ｐにおいて画素１４ｐ、１４ｐ′
、１４ｐ１〜１４ｐ４がランダムに白色から黒色に変わるが、全体として時間の経過とと
もに、黒色の画素群が表示領域１４ｘの左側から右側へと少しずつ移動するように変化し
、その後は、同じ変化を繰り返す。そして、このような背景パターンの変化に対応して、
上記のように、情報パターンを構成するセグメント集合体１４ｓ１〜１４ｓ４の点灯セグ
メント領域は、隣接する画素１４ｐ１〜１４ｐ４の中でコントラストを維持するように反
転した色（明度）になるように制御される。なお、セグメント集合体１４ｓ１〜１４ｓ４
の非点灯セグメント領域は、常に点灯セグメント領域との間に充分なコントラストを呈す
るように設定されることが好ましく、特に、画素１４ｐ１〜１４ｐ４と同じ色相及び明度
を有することがさらに望ましい。
【００５８】
上記の例では、背景表示範囲に表示される背景パターンに対応した情報パターンの表示
態様として白と黒の二種類のみを用いているが、モノクロ表示でも３種類以上の階調制御
が可能である場合には、当該階調制御により情報パターンとこれに隣接する画素の明度と
の差を生じさせて、情報パターンが充分なコントラストで視認されるようにすればよい。
また、カラー表示である場合には、色相もしくは明度のいずれか一方、或いはこれらの双
方を表示態様として変化させることが可能である。この場合においては、情報パターンの
色相及び／又は明度と隣接する画素１４ｐ１〜１４ｐ４の色相及び／又は明度との差が確
保されることにより情報パターンが充分に判別可能な状態となるように制御すればよい。
【００５９】
また、上記の例では、背景パターンが変化する中で、情報パターンの表示態様を隣接す
る画素１４ｐ１〜１４ｐ４の態様に応じて制御する場合について説明したが、本発明はこ
のような場合に限らず、情報パターンの視認性を高めるために、情報パターンの表示態様
に応じて背景パターンを制御しても構わない。この場合でも、情報パターンの表示態様と
、背景パターンとは対応したものになるからである。  すなわち、図１０に示す例では、
複数の画素１４ｐ、１４ｐ′で構成される背景パターンと、情報パターンを構成するセグ
メント集合体１４ｓ１〜１４ｓ４の点灯セグメント領域との間に介在する画素１４ｐ１〜
１４ｐ４の表示態様を、隣接する画素１４ｐ、１４ｐ′の表示態様と、点灯セグメント領
域のいずれに対しても判別可能な態様としている。
【００６０】
例えば、図１０（ａ）に示すように、情報パターンを構成するセグメント集合体１４ｓ
１〜１４ｓ４の点灯セグメント領域を黒色にした場合には、このセグメント集合体１４ｓ
１〜１４ｓ４の周囲にある画素１４ｐ１〜１４ｐ４を白色にするとともに、画素１４ｐ１
〜１４ｐ４のさらに周囲にある複数の画素１４ｐ、１４ｐ′を黒色にすることで、情報パ
ターンの表示位置が明確化され、白い縁取りを形成した場合と類似の状況となるため、情
報パターンの視認性がさらに向上する。また、図１０（ｂ）に示すように、上記の図１０
（ａ）の例に対して白と黒を反転させた状態とした場合でも同様である。
【００６１】
また、図１０（ｃ）は上記と同様の態様を情報パターン「０７」にのみ適用させた場合
を示す。この場合には、情報パターン「０７」を構成するセグメント集合体１４ｓ１及び
１４ｓ２の点灯セグメント領域が黒色、その周囲の画素１４ｐ１及び１４ｐ２が白色で、
そのさらに周囲の画素１４ｐ、１４ｐ′、１４ｐ３及び１４ｐ４が黒色とされる。また、
図１０（ｄ）は、上記の図１０（ｃ）の場合に対して白と黒を反転させた状態とした場合
を示す。
【００６２】
さらに、図１０（ｅ）は情報パターン「０８」にのみ適用させた場合を示す。この場合
には、情報パターン「０８」を構成するセグメント集合体１４ｓ３及び１４ｓ４の点灯セ
グメント領域が黒色、その周囲の画素１４ｐ３及び１４ｐ４が白色で、そのさらに周囲の
画素１４ｐ、１４ｐ′、１４ｐ１及び１４ｐ２が黒色とされる。この情報パターン「０８
」についても、図１０（ｅ）に示す場合に対して白と黒を反転させた状態とすることがで
きる。
【００６３】
上記のように情報パターンの表示態様を制御する方法としては、例えば、図７に示す表
示制御部１４Ｇによってメモリ１４Ｍから読み出される制御データ内に、背景表示範囲１
４Ｐと情報表示範囲１４Ｓの表示データの対応関係を予め組み込んでおく方法がある。す
なわち、背景表示範囲１４Ｐに形成される背景パターンに対応する情報パターンの表示態
様を示すデータ成分を予め上記制御データ内に加味しておき、上記制御データを読み出し
、これに応じて表示ドライバ１４Ｄを制御するだけで、上述のように表示領域１４ｘが駆
動されるように構成する。
【００６４】
また、表示制御部１４Ｇで演算処理を実行することにより、背景表示範囲１４Ｐに形成
される背景パターンに対応する表示データ部分からこれに対応する情報パターンの表示態
様に関するデータ成分を算出し、このデータ成分を加味した表示データを生成する方法も
ある。この場合には、任意の背景パターンに対して対応することができるので、例えば、
外部から入力される画像データ等を背景パターンとして用いることなども可能になる。
【００６５】
また、背景パターンの変化態様としては、図９（ａ）〜（ｅ）に示すように、複数の画
素が一斉に所定の時間間隔で変化していくものであってもよく、或いはまた、画素が一つ
ずつ変化していくものであってもよい。また、変化の時間間隔は任意であり、不連続に変
化するように或る程度長い時間間隔で変化するものであってもよく、連続的に変化してい
るように視認されるように短い時間間隔で変化するものであってもよい。さらに、上記の
時間間隔は一定であってもよく、不定期であってもよい。
【００６６】
一定の時間間隔で背景パターンが変化する例としては、例えば、１秒ごと、１分ごと、
１時間ごと、午前と午後など、背景パターンの変化タイミングを時間情報に対応したもの
とすることができる。また、背景パターンが変化する時間間隔を、情報パターンで表示さ
れる時間単位（例えば、図９の例では１日又は１分）よりも小さな時間単位に対応したも
のとすることが好ましい。このようにすると、背景パターンの変化タイミングが時間の経
過に対応しているため、表示機器１０の計時機能が動作していることを知らせることがで
きる。さらに、背景パターン自体により時間を認識できるように構成してもよい。例えば
、背景パターンを月や太陽の現在位置を認識できるものにしたり、外界の明るさに対応し
た風景にしたりすることができる。
【００６７】
本発明では、本質的には、情報パターンとこれに隣接する背景パターンの部分とが何ら
かの表示態様に関して相互に異なるものとされていればよいが、情報パターンの視認性を
高めるには、表示態様の差が或る程度大きくなるように、当該表示態様の差について一定
の基準を設けることが好ましい。例えば、色相を異なるものとする場合には、相互に識別
性の高い色相の組み合わせ、例えば、赤と青、黄と紫、緑と赤といった組み合わせとなる
ように予め設定しておけばよく、また、明度を異なるものとする場合には、コントラスト
比が所定値以上となるように予め設定しておけばよい。
【００６８】
上記の実施形態では、或る情報パターンがこれに対応する背景パターンに対して判別性
を有するように、背景パターンの変化に対応して変化することに特徴を有しているが、上
記のように構成する代わりに、情報パターン自体を複数の表示態様間で繰り返し変化する
ように構成することもできる。すなわち、図９及び図１０に示す例では、情報パターンを
構成するセグメント集合体１４ｓ１〜１４ｓ４内の点灯セグメント領域の色相若しくは明
度を、例えば、０．１〜３秒程度の周期で変化させる。つまり、白と黒の点滅表示とする
。このようにすると、背景パターンがどのように変化しても、白と黒のいずれか少なくと
も一方は常に背景パターンに対して判別可能であり、また、背景パターンの変化周期と情
報パターンの変化周期とを異なるものとする（好ましくは情報パターンの変化周期をより
短くする）ことにより、点滅表示の作用効果で識別性を高めることができるので、情報パ
ターンの視認性を確保することができる。
【００６９】
この場合には、セグメント集合体１４ｓ１〜１４ｓ４内の点灯セグメント領域は、周囲
の背景パターンの態様とは無関係に変化させることができるが、上記の実施形態と同様に
、点灯セグメント領域の表示態様が隣接する画素１４ｐ１〜１４ｐ４に対して常に判別性
を有する態様で変化させる、すなわち、点灯セグメント領域の点滅表示と逆相で画素１４
ｐ１〜１４ｐ４を点滅表示させるようにしてもよい。
【００７０】
尚、本発明の表示機器は、上述の図示例にのみ限定されるものではなく、本発明の要旨
を逸脱しない範囲内において種々変更を加え得ることは勿論である。例えば、上記の図示
例では情報パターンは数字で表現されているが、数字以外の文字、図形、記号等の任意の
パターンで情報を提示するように構成することもできる。
【００７１】
また、上記の図示例では、背景パターンを形成するための背景表示範囲１４Ｐ内の画素
１４ｐ、１４ｐ′、１４ｐ１〜１４ｐ４が比較的大きな面積を有しているが、通常のマト
リクス表示のように細かなドットとして画素が形成され、これによって任意の画像を背景
パターンとして表示できるように構成してもよい。
【００７２】
さらに、上記の例では情報パターンの色相若しくは明度或いはこれらの双方を変化させ
る例について説明したが、情報パターンの表示態様の変化としては、情報パターンの表示
位置の変化、情報パターンのパターン形状の変化、パターン寸法の変化であってもよく、
また、常時点灯状態と間欠点灯状態との間の変化、パターン形状やパターン寸法の固定状
態と変動状態との間の変化などであってもよい。
【００７３】
また、上記のように背景パターンの変化に対応して情報パターンの表示態様が変化する
実施形態において、背景パターンの変化と、これに対応する情報パターンの変化とは完全
に同期している必要はなく、例えば、背景パターンが変化した時点から所定時間遅れて情
報パターンが変化するように構成されていても構わない。これは、このように背景パター
ンに対応する変化が情報パターンに生ずるまでに多少の時間遅れはあるものの、最終的に
は情報パターンの判別性は確保されるからである。逆に、背景パターンが変化する前に、
先に情報パターンが変化するように構成してもよい。この場合でも、背景パターンが変化
した後には情報パターンの判別性は確保される。
【図面の簡単な説明】
【００７４】
【図１】実施形態の概略斜視図。
【図２】実施形態の湾曲方向に沿った断面構造を示す概略縦断面図。
【図３】図２のＳａ〜Ｓｅで示す部分の幅方向に沿った断面構造を示す断面図（ａ）〜（ｅ）。
【図４】実施形態のベース部材の一部を示す概略平面図。
【図５】実施形態の内部モジュールの概略平面図。
【図６】実施形態から一方のカバー部材を取り去り、その露出部分を示す概略斜視図。
【図７】実施形態の表示制御系の構成を示す概略構成ブロック図。
【図８】実施形態の表示体を駆動するための共通信号及び駆動信号の波形の例を示すタイミングチャート。
【図９】実施形態の表示パターンの変化過程を示す表示パターン図（ａ）〜（ｅ）。
【図１０】実施形態の表示パターンの他の例を示す表示パターン図（ａ）〜（ｅ）。
【図１１】実施形態の表示体に用いるマイクロカプセルの拡大断面図。
【図１２】実施形態の表示体の内部構造を模式的に示す縦断面図。
【符号の説明】
【００７５】
１０…表示機器（装着型電子機器）１１…ベース部材、１１ｓ…貫通部、１１ｔ…橋梁部
、１１ｘ…外縁部、１２…カバー部材、１２ａ…枠部材、１２ｂ…表示窓、１３…カバー
部材、１３ａ…開口部、１４…内部モジュール、１４Ａ…表示体、１４ｘ…表示領域、１
４ｂ…配線基板、１４ｃ…端子部、１４ｙ…電子部品、１４ｚ，１４ｖ…電極、１４ｗ，
１４ｕ…電極、１４Ｇ…表示制御部、１４Ｍ…メモリ、１４Ｄ…表示ドライバ、１４Ｐ…
背景表示範囲、１４ｐ、１４ｐ′、１４ｐ″…画素、１４Ｓ…情報表示範囲、１４ｓ…セ
グメント集合体、１５，１６…パッキン、１７…止めねじ、１８Ａ…スイッチ端子、１８
Ｂ…絶縁枠、１８Ｃ…コイルばね、１９Ａ…電池保持枠、１９Ｂ…電極端子、１９Ｃ…電
池
【図１】
2007206474.tif 000003
【図２】
2007206474.tif 000004
【図３】
2007206474.tif 000005
【図４】
2007206474.tif 000006
【図５】
2007206474.tif 000007
【図６】
2007206474.tif 000008
【図７】
2007206474.tif 000009
【図８】
2007206474.tif 000010
【図９】
2007206474.tif 000011
【図１０】
2007206474.tif 000012
【図１１】
2007206474.tif 000013
【図１２】
2007206474.tif 000014